(57)【要約】【課題】ユーザーの目を守るブルーライトカットのディスプレイ保護フィルムを提供する。【解決手段】ＰＥＴ膜１を基材とし、ＰＥＴ膜１の任意の片側の表面にギラツキ防止層２／ハードコート層３を設け、ＰＥＴ膜１の任意の最も外側に接着層４を設け、接着層４の内側またはギラツキ防止層２／ハードコート層３の外側にブルーライトカット層５が設けられている。複層構造を形成し、ディスプレイ保護以外に、眼球に害を与えるブルーライトをカットし、眼球組織細胞内のラジカルの活性化を抑制し、網膜または水晶体の細胞損傷、黄斑部の退化、および白内障を防ぐため、複合効果を有する。また、異なるサイズのディスプレイにも使用できるため、保護範囲を広めることができる。【選択図】図１
0003189775.tif 000002
【実用新案登録請求の範囲】
【請求項１】
ＰＥＴ膜を基材とし、前記ＰＥＴ膜の任意の片側の表面にギラツキ防止層／ハードコート層を設け、前記ＰＥＴ膜の任意の最も外側に接着層を設け、前記接着層の内側または前記ギラツキ防止層／前記ハードコート層の外側にブルーライトカット層が設けられていることを特徴とするブルーライトカットのディスプレイ保護フィルム。
【請求項２】
前記ブルーライトカット層には、多量のブルーライトカット材料からなる粉粒を混入させていることを特徴とする請求項１に記載のブルーライトカットのディスプレイ保護フィルム。
【請求項３】
前記多量のブルーライトカット材料からなる粉粒は、粒径が平均的にナノメートルレベル以下であることを特徴とする請求項２に記載のブルーライトカットのディスプレイ保護フィルム。
【請求項４】
前記多量のブルーライトカット材料からなる粉粒は、屈折率が１．３〜１．８であり、前記ブルーライトカット材料からなる粉粒の質量が、前記ブルーライトカット材料からなる粉粒の質量にブルーライトカット層を加えた質量の和の５〜４０％であることを特徴とする請求項２に記載のブルーライトカットのディスプレイ保護フィルム。
【請求項５】
前記ブルーライトカット層、前記ギラツキ防止層／前記ハードコート層、前記ＰＥＴ膜、前記接着層の順に重ねられてなることを特徴とする請求項１に記載のブルーライトカットのディスプレイ保護フィルム。
【請求項６】
前記ギラツキ防止層／前記ハードコート層、前記ＰＥＴ膜、前記ブルーライトカット層、前記接着層の順に重ねられてなることを特徴とする請求項１に記載のブルーライトカットのディスプレイ保護フィルム。
【請求項７】
前記ブルーライトカット層、前記ギラツキ防止層／前記ハードコート層、前記ＰＥＴ膜、前記接着層の順に重ねられるが、前記ＰＥＴ膜と前記接着層との間にブルーライトカット層を設けることを特徴とする請求項１に記載のブルーライトカットのディスプレイ保護フィルム。
【請求項８】
前記ブルーライトカット層は、プリント、コーティング、スプレーなどの方法により内側の層に付着されることを特徴とする請求項１に記載のブルーライトカットのディスプレイ保護フィルム。
【請求項９】
ＰＥＴ膜を基材とし、前記ＰＥＴ膜の任意の表面にギラツキ防止層を設け、前記ＰＥＴ膜の外側にブルーライトカット層を設け、ギラツキ防止層の外側に接着層を設けていることを特徴とするブルーライトカットのディスプレイ保護フィルム。
【請求項１０】
前記ブルーライトカット層は、プリント、コーティング、スプレーなどの方法により内側の層に付着されることを特徴とする請求項９に記載のブルーライトカットのディスプレイ保護フィルム。
【請求項１１】
ＰＥＴ膜またはガラスからなる板体を基材とし、板体はブルーライト元素粒子を含み、任意の片側の表面にギラツキ防止層／ハードコート層を設け、その反対側に接着層を設けることを特徴とするブルーライトカットのディスプレイ保護フィルム。
【考案の詳細な説明】
【技術分野】
【０００１】
本考案は、ディスプレイ保護フィルムに関し、特に、ブルーライトカットのディスプレイ保護フィルムに関する。
【背景技術】
【０００２】
各種電子機器にはディスプレイが使われることが多いが、異なる色彩および輝度を発生させるため、大量のブルーライトを放出してしまうことがある。研究によると、過度のブルーライトが眼球に入ると大量にラジカルを発生させ、白内障を引き起こす恐れがあるばかりか、黄斑部の退化を招いてしまうことさえある。また、ブルーライトによる眼球へのダメージは、徐々に蓄積するため、ますます悪化させてしまうおそれがある。
【０００３】
長時間ディスプレイを見続けるのは、眼球にダメージを与える行為である。現在のように、タブレット、スマートフォンが大量に使用されるようになると、さらに多くの人が眼球を痛めるため、一種の文明病とさえ言われている。
【０００４】
ディスプレイには、キズが付いたり、破損したりしないよう、ディスプレイ保護フィルムが貼られ、保護されていることが多い。この種のディスプレイ保護フィルムは、透明なフィルムで、ディスプレイ画面上の画像を妨げず、キズが付いたり、破損したりするのを防ぐものでしかなかった。ブルーライトカット効果がわずかながらあるものの、ユーザーの目を守るのに決して十分なわけではなかった。
【先行技術文献】
【特許文献】
【０００５】
【特許文献１】登録実用新案第３１８３０６２号公報
【考案の概要】
【考案が解決しようとする課題】
【０００６】
本考案の目的は、ユーザーの目を守るブルーライトカットのディスプレイ保護フィルムを提供することにある。
【課題を解決するための手段】
【０００７】
上述の目的を達成するため、本考案は、ブルーライトカットのディスプレイ保護フィルムを提供する。本考案のブルーライトカットのディスプレイ保護フィルムは、ＰＥＴ膜を基材とし、ＰＥＴ膜の任意の片側の表面にギラツキ防止層／ハードコート層を設け、ＰＥＴ膜の任意の最も外側に接着層を設け、接着層の内側またはギラツキ防止層／ハードコート層の外側にブルーライトカット層が設けられている。
【考案の効果】
【０００８】
本考案のブルーライトカットのディスプレイ保護フィルムは、複層構造を形成し、ディスプレイ保護以外に、眼球に害を与えるブルーライトをカットし、眼球組織細胞内のラジカルの活性化を抑制し、角膜または水晶体の細胞損傷、黄斑部の退化、および白内障を防ぐため、複合効果を有することができる。また、異なるサイズのディスプレイにも使用できるため、保護範囲を広めることができる。
【図面の簡単な説明】
【０００９】
【図１】本考案の第１の実施形態によるブルーライトカットのディスプレイ保護フィルムを示す断面図である。
【図２】本考案の第２の実施形態によるブルーライトカットのディスプレイ保護フィルムを示す断面図である。
【図３】本考案の第３の実施形態によるブルーライトカットのディスプレイ保護フィルムを示す断面図である。
【図４】本考案の第４の実施形態によるブルーライトカットのディスプレイ保護フィルムを示す断面図である。
【図５】本考案のブルーライトカットのディスプレイ保護フィルムをタブレットに用いる状態を示す分解斜視図である。
【図６】本考案のブルーライトカットのディスプレイ保護フィルムをタブレットに用いた状態を示す斜視図である。
【図７】本考案のブルーライトカットのディスプレイ保護フィルムをデスクトップＰＣに用いた状態を示す斜視図である。
【図８】本考案のブルーライトカットのディスプレイ保護フィルムをノートＰＣに用いた状態を示す分視図である。
【図９】本考案のブルーライトカットの光学フィルムを示す断面図である。
【図１０】本考案の第５の実施形態によるブルーライトカットのディスプレイ保護フィルムを示す断面図である。
【考案を実施するための形態】
【００１０】
以下、本考案の実施形態を図面に基づいて説明する。
【００１１】
図１を参照する。図１は、本考案の第１の実施形態によるブルーライトカットのディスプレイ保護フィルムを示す断面図である。図１に示すように、本考案のブルーライトカットのディスプレイ保護フィルムＡは、ＰＥＴ膜１（二軸延伸ポリエチレン）を基材とし、ギラツキ防止層２（ＡＧ層）／ハードコート層３（ＨＣ層）をＰＥＴ膜１の任意の片側の表面に設け、ＰＥＴ膜１の任意の最も外側に接着層４を設け、接着層４の内側またはギラツキ防止層２／ハードコート層３の外側にブルーライトカット層５が設けられている。
【００１２】
図１に示すように、本考案のブルーライトカットのディスプレイ保護フィルムＡは、ブルーライトカット層５、ギラツキ防止層２／ハードコート層３、ＰＥＴ膜１、接着層４の順に重ねられてなる。
【００１３】
本考案のブルーライトカットのディスプレイ保護フィルムＡは、複層構造を形成し、ディスプレイ保護以外に、眼球に害を与えるブルーライト(４００〜５３０ｎｍ)をカットし、眼球組織細胞内のラジカルの活性化を抑制し、角膜または水晶体の細胞損傷、黄斑部の退化、および白内障を防ぐため、複合効果を有することができる。また、異なるサイズのディスプレイにも使用できるため、保護範囲を広めることができる。
【００１４】
図２を参照する。図２は、本考案の第２の実施形態によるブルーライトカットのディスプレイ保護フィルムを示す断面図である。図２に示すように、本考案のブルーライトカットのディスプレイ保護フィルムＡは、ギラツキ防止層２／ハードコート層３、ＰＥＴ膜１、ブルーライトカット層５、接着層４の順に重ねられてなる。
【００１５】
図３を参照する。図３は、本考案の第３の実施形態によるブルーライトカットのディスプレイ保護フィルムを示す断面図である。図３に示すように、本考案のブルーライトカットのディスプレイ保護フィルムＡは、ブルーライトカット層５、ギラツキ防止層２／ハードコート層３、ＰＥＴ膜１、接着層４の順に重ねられるが、ＰＥＴ膜１と接着層４との間にブルーライトカット層５Ａを設ける。
【００１６】
ブルーライトカット層５Ａは、プリント、コーティング、スプレーなどの方法により内側の層に付着される。
【００１７】
図４を参照する。図４は、本考案の第４の実施形態によるブルーライトカットのディスプレイ保護フィルムを示す断面図である。図４に示すように、本考案のブルーライトカットのディスプレイ保護フィルムＡは、ハードコート層３を用いずに構成される。ディスプレイ保護フィルムＡは、ＰＥＴ膜１（二軸延伸ポリエチレン）を基材とし、ＰＥＴ膜１の任意の表面にギラツキ防止層２を設け、ＰＥＴ膜１の外側にブルーライトカット層５を設け、ギラツキ防止層２の外側に接着層４を設けている。
【００１８】
ブルーライトカット層５は、プリント、コーティング、スプレーなどの方法により内側の層に付着される。
【００１９】
図５および図６を参照する。図５は、本考案のブルーライトカットのディスプレイ保護フィルムをタブレットに用いる状態を示す分解斜視図である。図６は、本考案のブルーライトカットのディスプレイ保護フィルムをタブレットに用いた状態を示す斜視図である。図５および図６に示すように、本考案のブルーライトカットのディスプレイ保護フィルムＡは、タブレット６Ａに用いられる。
【００２０】
図７を参照する。図７は、本考案のブルーライトカットのディスプレイ保護フィルムをデスクトップＰＣに用いた状態を示す斜視図である。図７に示すように、本考案のブルーライトカットのディスプレイ保護フィルムＡは、デスクトップＰＣ６Ｂに用いられる。
【００２１】
図８を参照する。図８は、本考案のブルーライトカットのディスプレイ保護フィルムをノートＰＣに用いた状態を示す分視図である。図８に示すように、本考案のブルーライトカットのディスプレイ保護フィルムＡは、ノートＰＣ６Ｃに用いられる。
【００２２】
図９を参照する。図９は、本考案のブルーライトカットの光学フィルムを示す断面図である。図９に示すように、ブルーライトカット層５には、多量のブルーライトカット材料からなる粉粒５１が混入されている。多量のブルーライトカット材料からなる粉粒５１は、粒径が平均的にナノメートルレベル以下で、屈折率が１．３〜１．８である。ブルーライトカット材料からなる粉粒５１の質量は、ブルーライトカット材料からなる粉粒５１の質量にブルーライトカット層５を加えた質量の和の５〜４０％である。光線中のブルーライトの３０〜４５％をカットすることができる。
【００２３】
図１０を参照する。図１０は、本考案の第５の実施形態によるブルーライトカットのディスプレイ保護フィルムを示す断面図である。図１０に示すように、ＰＥＴ膜１は、ブルーライト元素粒子１１を含ませて簡単な構造にすることもできる。ＰＥＴ膜１は、任意の片側の表面にギラツキ防止層２／ハードコート層３を設け、その反対側に接着層４を設ける。
【００２４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２５】
１  ＰＥＴ膜
２  ギラツキ防止層
３  ハードコート層
４  接着層
５  ブルーライトカット層
１１  ブルーライト元素粒子
５１  粉粒
Ａ  ディスプレイ保護フィルム
５Ａ  ブルーライトカット層
６Ａ  タブレット
６Ｂ  デスクトップＰＣ
６Ｃ  ノートＰＣ
【図１】
0003189775.tif 000003
【図２】
0003189775.tif 000004
【図３】
0003189775.tif 000005
【図４】
0003189775.tif 000006
【図５】
0003189775.tif 000007
【図６】
0003189775.tif 000008
【図７】
0003189775.tif 000009
【図８】
0003189775.tif 000010
【図９】
0003189775.tif 000011
【図１０】
0003189775.tif 000012
【手続補正書】
【提出日】平成25年11月29日(2013.11.29)
【手続補正１】
【補正対象書類名】実用新案登録請求の範囲
【補正対象項目名】請求項１
【補正方法】変更
【補正の内容】
【請求項１】
ＰＥＴ膜を基材とし、
前記ＰＥＴ膜の任意の片側の表面にギラツキ防止層又はハードコート層を設け、
前記ＰＥＴ膜の任意の側の最表面に接着層を設け、
前記接着層のＰＥＴ膜側または前記ギラツキ防止層又は前記ハードコート層のＰＥＴ膜と反対側にブルーライトカット層が設けられていることを特徴とするブルーライトカットのディスプレイ保護フィルム。
【手続補正２】
【補正対象書類名】実用新案登録請求の範囲
【補正対象項目名】請求項５
【補正方法】変更
【補正の内容】
【請求項５】
前記ブルーライトカット層、前記ギラツキ防止層又は前記ハードコート層、前記ＰＥＴ膜、前記接着層の順に重ねられてなることを特徴とする請求項１に記載のブルーライトカットのディスプレイ保護フィルム。
【手続補正３】
【補正対象書類名】実用新案登録請求の範囲
【補正対象項目名】請求項６
【補正方法】変更
【補正の内容】
【請求項６】
前記ギラツキ防止層又は前記ハードコート層、前記ＰＥＴ膜、前記ブルーライトカット層、前記接着層の順に重ねられてなることを特徴とする請求項１に記載のブルーライトカットのディスプレイ保護フィルム。
【手続補正４】
【補正対象書類名】実用新案登録請求の範囲
【補正対象項目名】請求項７
【補正方法】変更
【補正の内容】
【請求項７】
前記ブルーライトカット層、前記ギラツキ防止層又は前記ハードコート層、前記ＰＥＴ膜、前記接着層の順に重ねられるが、前記ＰＥＴ膜と前記接着層との間にブルーライトカット層を設けることを特徴とする請求項１に記載のブルーライトカットのディスプレイ保護フィルム。
【手続補正５】
【補正対象書類名】実用新案登録請求の範囲
【補正対象項目名】請求項８
【補正方法】変更
【補正の内容】
【請求項８】
前記ブルーライトカット層は、プリント、コーティング、スプレーなどのいずれかの方法により内側の層に付着されることを特徴とする請求項１に記載のブルーライトカットのディスプレイ保護フィルム。
【手続補正６】
【補正対象書類名】実用新案登録請求の範囲
【補正対象項目名】請求項１０
【補正方法】変更
【補正の内容】
【請求項１０】
前記ブルーライトカット層は、プリント、コーティング、スプレーなどのいずれかの方法により内側の層に付着されることを特徴とする請求項９に記載のブルーライトカットのディスプレイ保護フィルム。
【手続補正７】
【補正対象書類名】実用新案登録請求の範囲
【補正対象項目名】請求項１１
【補正方法】変更
【補正の内容】
【請求項１１】
ＰＥＴ膜またはガラスからなる板体を基材とし、板体はブルーライト元素粒子を含み、任意の片側の表面にギラツキ防止層又はハードコート層を設け、その反対側に接着層を設けることを特徴とするブルーライトカットのディスプレイ保護フィルム。
【手続補正書】
【提出日】平成26年1月27日(2014.1.27)
【手続補正１】
【補正対象書類名】実用新案登録請求の範囲
【補正対象項目名】請求項９
【補正方法】変更
【補正の内容】
【請求項９】
ＰＥＴ膜を基材とし、
前記ＰＥＴ膜の任意の表面にギラツキ防止層を設け、
前記ＰＥＴ膜の該ギラツキ防止層と反対側の表面にブルーライトカット層を設け、
前記ギラツキ防止層の表面に接着層を設けていることを特徴とするブルーライトカットのディスプレイ保護フィルム。
【手続補正２】
【補正対象書類名】実用新案登録請求の範囲
【補正対象項目名】請求項８
【補正方法】変更
【補正の内容】
【請求項８】
前記ブルーライトカット層は、プリント、コーティング、スプレーのいずれかの方法により内側の層に付着されることを特徴とする請求項１に記載のブルーライトカットのディスプレイ保護フィルム。
【手続補正３】
【補正対象書類名】実用新案登録請求の範囲
【補正対象項目名】請求項１０
【補正方法】変更
【補正の内容】
【請求項１０】
前記ブルーライトカット層は、プリント、コーティング、スプレーのいずれかの方法により内側の層に付着されることを特徴とする請求項９に記載のブルーライトカットのディスプレイ保護フィルム。